(57)【要約】【課題】釣りターゲットに応じて、釣針と錘とをそれぞれ相互選択的に組み合わせて、その組み合わせ形態を容易に変更することができる着脱可能な錘付き釣針を提供すること。【解決手段】軸部３の元側４に釣糸接続部５を備え、先側６に折返し湾曲部７を介して針先部８を備えた釣針２と、比較的比重の大きい材料からなり、釣針２の元側４に取り付けられる錘９との組み合わせでなる錘付き釣針において、錘が、その重心Ｇを含む一つの面Ｓ１から一方向に外れた一つの面Ｓ２に沿って錘外周面１０から内部に向けてのびる釣針元側受入孔１１と、受入孔から重心を含む面とは逆方向に向いて錘外周面に向けてのびる引き紐挿通孔１２とを備え、釣針の元側と、錘における受入孔との間に、ロック−アンロック手段１３を設け、釣針と錘とを着脱可能に組み合わせてなる着脱可能な錘付き釣針。【選択図】図２
2011078353.tif 000002
【特許請求の範囲】
【請求項１】
軸部(3)の元側(4)に釣糸接続部(5)を備え、先側(6)に折返し湾曲部(7)を介して針先部(8)を備えた釣針(2)と、比較的比重の大きい材料からなっていて、前記釣針(2)の元側(4)に取り付けられる錘(9)との組み合わせでなる錘付き釣針において、
前記錘(9)が、その重心(G)を含む一つの面(S1)から一方向に外れた一つの面(S2)に沿って錘外周面(10)から錘内部に向けてのびる釣針元側受入孔(11)と、前記釣針元側受入孔(11)から前記重心(G)を含む面(S1)とは逆方向に向いて錘外周面(10)に向けてのびる引き紐挿通孔(12)とを備え、
前記釣針(2)の元側(4)と、前記錘(9)における釣針元側受入孔(11)との間にロック−アンロック手段(13)を設け、前記釣針(2)と前記錘(9)とを相互選択的に組み合わせ可能になしたことを特徴とする着脱可能な錘付き釣針。
【請求項２】
前記ロック−アンロック手段(13)が、釣針元側の釣糸接続部(5)に、引き紐(14)を結び付けることによって形成される増径結び目(15)と、前記錘(9)に設けた受入孔(11)との嵌合によって形成され、前記釣針(2)の元側(4)に結び付けた引き紐(14)を前記引き紐挿通孔(12)に挿通して錘外部から引くことによってロック状態を強化してなることを特徴とする請求項１に記載の着脱可能な錘付き釣針。
【請求項３】
前記ロック−アンロック手段(13)が、前記釣針(2)の元側(4)に対して設けた、軸部(3)から径方向に突出形成されたフック部(16)と、前記フック部(16)が通過するように前記錘(9)の受入孔(11)に設けたキー溝(17)とからなり、前記釣針(2)の元側(4)に設けたフック部(16)を前記キー溝(17)に合わせて挿入した後、前記釣針(2)を軸部のまわりに回転させることによって両者をロック状態に維持するようにしたことを特徴とする請求項１に記載の着脱可能な錘付き釣針。
【請求項４】
前記釣針(2)が、大きさ並びに形状の異なる幾つかの種類が準備されていて、前記錘(9)が、大きさ、形状、比重の異なる幾つかの種類が準備されていて、前記釣針(2)および錘(9)を釣りターゲットに応じて、相互選択的に組み合わせ可能になしたことを特徴とする請求項１ないしは請求項３のいずれかに記載の着脱可能な錘付き釣針。
【発明の詳細な説明】
【技術分野】
【０００１】
この発明は、釣針と錘とを組み合わせてなる錘付き釣針に係るものであり、特に、釣針と錘とを着脱自在に構成して、釣りの対象となる各種ターゲットに応じて、釣針および錘を相互選択的に、その組み合わせ変更を可能になした着脱可能な錘付き釣針に関するものである。
【背景技術】
【０００２】
周知のように、天然餌あるいは擬似餌（ルアー、ワームともいう）を釣針に装着して釣りをする場合、当該釣針に対して錘を組み合わせてなるジグヘッド（Jighead)（あるいは単にジグ）・テンヤ・カブラなどと称する釣り用具が用いられることがある。
【０００３】
従来の錘付き釣針は、例えば、特許文献１あるいは特許文献２に記載の技術内容のものとして知られている。特許文献１に記載のルアー用ジグヘッドは、釣針(2)と錘(3)とキーパー(4)と釣糸結束リング(5)とからなっていて、これら４つの部材を組み合わせて一体化してなる構成のものである。要するに、この特許文献１に記載のルアー用ジグヘッドは、釣果を上げるために、当該ルアー用ジグヘッドにおける釣針を除いた部分に塗装を施す際、塗装の作業性を図るべく、４つの部材に分割しておき、塗装後に、それら４つの部材を組み合わせ、接着剤などにより、一体的に固着するというものであり、提供される段階において、当該ジグヘッド自体は、釣針と錘とに分離することができない一体的構造物である。
【０００４】
特許文献２に記載のルアー仕掛けに用いる釣針は、おもり(10)を釣針(1)の折り曲げ部(6)に一体に設け、釣針(1)をワーム(22)と組み合わせた状態でのバランスを良好に設定するという課題を提起し、釣針(1)のシャンク(2)の上端部に略直角な折り曲げ部(6)を設け、その折り曲げ部(6)とシャンク部の端部に亘っておもり(10)を一体に取り付けるという構成のものである。
【０００５】
これら従来の錘付き釣針は、釣針と錘とを一体的に固定連結するという構成のものであり、一つのジグヘッドは、釣針と錘とに分離することができないものであった。その結果、従来の錘付き釣針は、買い求めた手のうちにある限られた形態のジグヘッド（釣針と錘とが限定的に一体化されたジグヘッド）の使用に限られ、釣りターゲットに応じて、釣針の種類ならびに錘の種類をそれぞれ選択し、その選択的組み合わせによって釣りを楽しむというようなことができなかった。
【０００６】
さらに、上記する特許文献などに開示される釣針と錘とを一体化した形態のジグヘッドは、錘を構成する金属の性状（高比重金属）により、例えば、タングステンを用いた場合、タングステンの融点が高すぎるため、一体成型時に釣針が溶けてしまうという製造上の大きな問題点を有していた。
【先行技術文献】
【特許文献】
【０００７】
【特許文献１】特開平１０−６６４７９号公報
【特許文献２】特開２００１−２２４２８０号公報
【発明の概要】
【発明が解決しようとする課題】
【０００８】
そこで、この発明は、従来の釣針と錘とが一体化した構成でなる錘付き釣針に対し、釣針と錘とを着脱可能に組み合わせて用いることができる着脱可能な錘付き釣針を提供しようとするものであり、使用時には、釣針と錘とが確実堅固に一体化しており、非使用時には、釣針と錘とを極めて容易に分離することができ、釣りターゲットに応じて、釣針と錘とをそれぞれ相互選択的に組み合わせて、その組み合わせ形態を容易に変更することができるようにした着脱可能な錘付き釣針を提供することにある。
【課題を解決するための手段】
【０００９】
この発明は、上記する目的を達成するにあたって、具体的には、軸部の元側に釣り糸接続部を備え、先側に折返し湾曲部を介して針先部を備えた釣針と、比較的比重の大きい材料からなっていて、前記釣針の元側に取り付けられる錘との組み合わせでなる錘付き釣針において、
前記錘が、その重心を含む一つの面から一方向に外れた一つの面に沿って錘外周面から錘内部に向けてのびる釣針元側受入孔と、前記釣針元側受入孔から前記重心を含む面とは逆方向に向いて錘外周面に向けてのびる引き紐挿通孔とを備え、
前記釣針の元側と、前記錘における釣針元側受入孔との間にロック−アンロック手段を設け、前記釣針と前記錘とを相互選択的に組み合わせ可能になしたことを特徴とする着脱可能な錘付き釣針を構成するものである。
【００１０】
さらに、この発明において、請求項２に記載の発明は、請求項１に記載の着脱可能な錘付き釣針であって、ロック−アンロック手段が、釣針元側の釣糸接続部に、引き紐を結び付けることによって形成される増径結び目と、前記錘に設けた受入孔との嵌合によって形成され、前記釣針の元側に結び付けた引き紐を前記引き紐挿通孔に挿通して錘外部から引くことによってロック状態を強化してなることを特徴とするものである。
【００１１】
さらに、この発明において、請求項３に記載の発明は、請求項１に記載の着脱可能な錘付き釣針であって、ロック−アンロック手段が、前記釣針の元側に対して設けた、軸部から径方向に突出形成されたフック部と、前記フック部が通過するように前記錘の受入孔に設けたキー溝とからなり、前記釣針の元側に設けたフック部を前記キー溝に合わせて挿入した後、前記釣針を軸部のまわりに回転させることによって両者をロック状態に維持するようにしたことを特徴とするものである。
【００１２】
さらに、この発明において、請求項４に記載の発明は、請求項１ないしは請求項３のいずれかに記載の着脱可能な錘付き釣針であって、釣針が、大きさ並びに形状の異なる幾つかの種類が準備されていて、前記錘が、大きさ、形状、比重の異なる幾つかの種類が準備されていて、前記釣針および錘を釣りターゲットに応じて、相互選択的に組み合わせ可能になしたことを特徴とするものである。
【発明の効果】
【００１３】
以上の構成になるこの発明の着脱可能な錘付き釣針は、錘に対して、その重心を含む一つの面から一方向に外れた一つの面に沿って錘外周面から内部に向けてのびる釣針の元側を受け入れ得る受入孔と、受入孔から重心を含む面とは逆方向に向いて錘外周面に向けてのびる引き紐挿通孔とを備え、釣針の元側と、錘における受入孔との間に、ロック−アンロック手段を設け、釣針と錘とを着脱可能に組み合わせたことにより、使用時には、釣針と錘とが確実堅固に一体化しており、非使用時には、釣針と錘とを極めて容易に分離することができ、釣りターゲットに応じて、釣針と錘とをそれぞれ相互選択的に組み合わせて、その組み合わせ形態を容易に変更することができるという点において、極めて有効に作用するものといえる。
【００１４】
さらに、この発明になる着脱可能な錘付き釣針は、釣針と錘とを一体成型する必要がないので、釣針および錘の双方を各種金属材料から適宜選択的に適用することができ、一体成型の従来タイプのものにみられた大きな問題点（錘が高融点のものであるため、一体成型時に釣針が溶解してしまうという製造上の問題）を解決するものであり、その点においても極めて有効に作用するものといえる。
【図面の簡単な説明】
【００１５】
【図１】図１は、この発明になる着脱可能な錘付き釣針の基本的な構成例を示すものであって、図１Ａは、釣針(2)と錘(9)とを分離してある状態を示す概略的な側面断面図であり、図１Ｂは、ロック−アンロック手段(13)によって釣針(2)と錘(9)とを嵌合連結してある状態を示す概略的な側面断面図である。
【図２】図２は、この発明になる着脱可能な錘付き釣針の使用状態の一例を示す概略的な側面断面図である。
【図３】図３Ａおよび図３Ｂは、当該着脱可能な錘付き釣針において、錘の形態の異なる例を示す概略的な側面断面図である。
【図４】図４Ａは、ロック−アンロック手段(13)の異なる例を示す概略的な側断面図であり、図４Ｂは、ロック−アンロック手段(13)のさらに異なる例を示す概略的な側断面図であって、図４Ｂ１は、その概略的な側面図、図４Ｂ２は、図４Ｂ１におけるＢ２−Ｂ２線に沿って断面にした概略的な断面図、図４Ｂ３は、この錘と釣針とを組み合わせた状態を示す概略的な側面断面図である。
【発明を実施するための形態】
【００１６】
以下、この発明になる着脱可能な錘付き釣針について、図面に示す具体的な実施例にもとづいて詳細に説明する。
まず、図１各図および図２に基づいて、この発明になる着脱可能な錘付き釣針の基本構成について説明する。
【００１７】
この発明になる着脱可能な錘付き釣針１は、釣針２と、錘９と、ロック−アンロック手段１３との組み合わせによって構成されているものである。前記釣針２は、釣りをするターゲット（釣る魚の種類）に応じて、その大きさ、形状が多種多様のものであり、この発明では、それらの釣針のいずれに対しても適用が可能である。この発明のより好ましい実施例において、前記釣針２は、軸部３の元側４に釣糸接続部５を備え、先側６に折返し湾曲部７を介して針先部８を備えたものからなっており、図２に示すように、天然餌あるいは擬似餌を突き刺して装着することができるようになっている。
【００１８】
前記錘９は、比較的比重の大きい材料からなっていて、前記釣針２の元側４に着脱可能に取り付けられる構成のものである。前記錘９は、好ましくは、タングステンあるいはタングステン合金からなっており、その他には、鉛、鉛合金、スズ、真鍮あるいは鉄などからなっている。前記錘９は、図１および図２に示すように、基本的には、略球状体のものであり、釣り内容に応じて、図３に示すような変形形状のものであってもよい。
【００１９】
前記錘９は、その重心Ｇを含む一つの面Ｓ１から一方向に外れた一つの面Ｓ２に沿って錘外周面１０から錘内部に向けてのびる釣針元側受入孔１１と、前記釣針元側受入孔１１から前記重心Ｇを含む面Ｓ１とは逆方向に向いて錘外周面１０に向けてのびる引き紐挿通孔１２とを備えたものからなっている。前記釣針元側受入孔１１は、錘外周面１０において開口しており、錘内部において有底の孔であり、後述するロック−アンロック手段１３を備えている。前記引き紐挿通孔１２は、前記釣針元側受入孔１１の底部近傍から枝分かれしていて、錘外周面１０において開口している。前記引き紐挿通孔１２は、前記釣針元側受入孔１１の軸線に対し、角度αをもって傾斜形成されており、当該角度αを小さくすると、前記釣針２に対して、引き紐１４、釣糸２１の張力を大きく作用させることができる。
【００２０】
次いで、前記ロック−アンロック手段１３の構成について説明する。前記ロック−アンロック手段１３は、前記釣針２の元側４と、前記錘９における釣針元側受入孔１１との間に設けてあり、前記釣針２と、前記錘９とを着脱可能に組み合わせることができるようになっている。
【００２１】
前記ロック−アンロック手段１３は、前記釣針元側４の釣糸接続部５に、引き紐１４を結び付けることによって形成される増径結び目１５と、前記錘９に設けた釣針元側受入孔１１との嵌合によって形成され、前記釣針元側４の釣糸接続部５に結び付けた引き紐１４を、前記引き紐挿通孔１２に挿通して、錘外部から矢印Ｆ方向に引くことによって、釣針２と錘９とのロック状態を強化することができる。
【００２２】
この発明において、引き紐１４は、金属に比べて柔軟性のある素材、例えば、ポリエチレン、ナイロン、フロロカーボン、ゴム、シリコンなどによって構成されている。
【００２３】
この発明の好ましい実施例において、前記ロック−アンロック手段１３に関連して、前記釣針元側受入孔１１の底部側に、前記釣針元側受入孔１１の内径より若干大きい内径の増径部１１ａを設けておくことにより、当該増径部１１ａに前記増径結び目１５が入り込んで、釣針２と錘９とのロック状態をより堅固にすることができる。
【００２４】
上記する増径結び目１５は、別の実施例として、ゴムあるいはシリコーンなど柔軟性のある物質により強化して構成する場合もある。要するに、この増径結び目１５は、釣針２および錘９を構成する金属に比べて、柔軟性のある素材によって構成されていて、増径された滑り止め構造のものであればよい。
【００２５】
前記ロック−アンロック手段１３の他の好ましい例を、図４Ｂ１〜図４Ｂ３に示す。この実施例によれば、前記ロック−アンロック手段１３は、前記釣針２の元側４に対して、軸部３から径方向に突出形成されたフック部１６と、このフック部１６が通過するように前記錘９における釣針元側受入孔１１に設けたキー溝１７とによって構成されている。この実施例では、前記フック部１６に引き紐１４を引っ掛けておき、前記釣針２の元側４に設けたフック部１６を前記キー溝１７に合わせて挿入した後、前記釣針２を軸部のまわりに９０度だけ回転させ、フック部１６を前記釣針元側受入孔１１の底部側に設けたフック収容部１１ｂに倒し込み、当該フック部１６に引っ掛けた引き紐１４を引き紐挿通孔１２を介して錘外部に引き出し、これを矢印Ｆ方向に引くことによって、釣針２と錘９との間のロック状態を維持するように構成されている。
【００２６】
この発明では、前記釣針２については、大きさ並びに形状の異なる幾つかの種類が準備され、前記錘９についても、大きさ、形状、比重の異なる幾つかの種類が準備される。前記釣針２および錘９は、釣りターゲットに応じて、相互選択的に組み合わせ可能に構成されていて、釣針２および錘９をそれぞれ選択した後、釣針２の元側を錘９の釣針元側受入孔１１に差し込み、引き紐１４を引き紐挿通孔１２を介して錘外部に引き出し、当該引き紐１４を介して釣糸２１が接続されるようになっている。したがって、釣糸２１が矢印Ｆ方向に引かれれば引かれるほど釣針２と錘９との間のロック状態が維持されるようになっている。
【００２７】
なお、この発明になる着脱可能な錘付き釣針１において、図１および図２に示すように、前記錘９に対して、リング体２０を一体的に設けたものであってもよい。このリング体２０には、いかり状の釣針あるいは釣具用飾体などが取り付けられるようになっている。
【符号の説明】
【００２８】
１  着脱可能な錘付き釣針
２  釣針
３  釣針の軸部
４  釣針の元側
５  釣糸接続部
６  釣針の先側
７  折返し湾曲部
８  針先部
９  錘
Ｇ  錘の重心
Ｓ１  重心を含む一つの面
Ｓ２  Ｓ１から一方向に外れた面
１０  錘外周面
１１  釣針の元側受入孔
１２  引き紐挿通孔
１３  ロック−アンロック手段
１４  引き紐
１５  増径結び目
１６  フック部
１７  キー溝
２０  結束リング
２１  釣糸
２２  天然餌あるいは擬似餌
【図１】
2011078353.tif 000003
【図２】
2011078353.tif 000004
【図３】
2011078353.tif 000005
【図４】
2011078353.tif 000006